(57)【要約】【課題】下がり防止部材を腰板に固定する際にビスなど取付用金具が不要でしかも固定作業を容易に行うことができるパチンコ遊技機の外枠を提供すること。【解決手段】外枠１００は、腰板部５２の上端面を形成する左右方向のレール部５３と、レール部５３にスライド移動自在に装着される下がり防止部材８と、腰板部５２の前面に取着される装飾プレート９とを備える。装飾プレート９の上端には、レール部５３の下面に係止されるフランジ部９２が形成され、フランジ部９２に、下がり防止部材８と係合して下がり防止部材８のスライド移動範囲を規制する切欠き部９２bが設けられる。【選択図】図２
2006158506.tif 000002
【特許請求の範囲】
【請求項１】
上枠、左右一対の側枠、下枠からなる矩形フレームと、一方の側枠側の上部及び下部に突出して設けられ、遊技盤取付枠を片持ち状態で開閉自在に保持する軸受部と、を備え、前記遊技盤取付枠が閉じた状態にあるとき前記下枠の腰板部の上端面と前記遊技盤取付枠の下端面とが重合するパチンコ遊技機の外枠において、
前記腰板部の上端面を形成する左右方向のレール部と、
前記レール部にスライド移動自在に装着される下がり防止部材と、
前記腰板部の前面に取着される装飾プレートと、
を備え、
前記装飾プレートの上端に、前記レール部の下面に係止されるフランジ部を形成するとともに、該フランジ部に、前記下がり防止部材と係合して該下がり防止部材のスライド移動範囲を規制する切欠き部を設けた
ことを特徴とするパチンコ遊技機の外枠。
【請求項２】
前記装飾プレートの前記フランジ部に、切除可能で、切除後に前記切欠き部と同様な作用を発揮し得る切欠き予定部が形成されていることを特徴とする請求項１に記載のパチンコ遊技機の外枠。
【発明の詳細な説明】
【技術分野】
【０００１】
本発明は、パチンコ遊技機の外枠、詳しくは、遊技盤取付枠を開閉自在に保持する外枠に関する。
【背景技術】
【０００２】
パチンコ遊技機は、外枠と遊技盤取付枠（内枠）とを備え、外枠は、通常、パチンコホールなど遊技場の設置島に固定され、遊技盤取付枠は、外枠に片持ち状態で開閉自在に軸支される。ここで、遊技盤取付枠は、適正な遊技状態及び円滑な開閉動作を確保するために水平状態に維持されることが求められる。
【０００３】
しかし、パチンコ遊技機の設置条件や経年変化により、遊技盤取付枠側の重量が大きいことが主な原因となって、遊技盤取付枠の先端側（外枠に軸支されている側の反対側）が下がり、適正な遊技状態を確保できなくなるとともに遊技盤取付枠を円滑に開閉することができなくなる場合がある。
【０００４】
そこで、従来から、遊技盤取付枠の先端側が下がっても遊技盤取付枠を水平状態に維持するとともに円滑に開閉できるようにするための手段を外枠に設けたパチンコ遊技機が提案されている（例えば、特許文献１参照）。
【特許文献１】特開２００４−８１６０６公報（［００１６］、図５，６）
【発明の開示】
【発明が解決しようとする課題】
【０００５】
しかし、上記特許文献１に記載のパチンコ遊技機によると、コ字形のすべり部材（下がり防止部材）１８を腰板１６の上端面を跨ぐようにセットし、腰板１６の裏面にビス挿通孔８３を介してビス８６をねじ込むことによりすべり部材１８を腰板１６に固定させており、取付用のビス８６が必要になるとともにすべり部材１８を腰板１６に固定する作業が煩雑になるという問題がある。
【０００６】
本発明は、上記のような従来技術の問題点を解決し、すべり部材（下がり防止部材）を腰板に固定する際にビスなど取付用金具が不要でしかも固定作業を容易に行うことができるパチンコ遊技機の外枠を提供することを目的とする。
【課題を解決するための手段】
【０００７】
本発明によるパチンコ遊技機の外枠は、上枠、左右一対の側枠、下枠からなる矩形フレームと、一方の側枠側の上部及び下部に突出して設けられ、遊技盤取付枠を片持ち状態で開閉自在に保持する軸受部と、を備え、前記遊技盤取付枠が閉じた状態にあるとき前記下枠の腰板部の上端面と前記遊技盤取付枠の下端面とが重合するパチンコ遊技機の外枠において、前記腰板部の上端面を形成する左右方向のレール部と、前記レール部にスライド移動自在に装着される下がり防止部材と、前記腰板部の前面に取着される装飾プレートと、を備え、前記装飾プレートの上端に、前記レール部の下面に係止されるフランジ部を形成するとともに、該フランジ部に、前記下がり防止部材と係合して該下がり防止部材のスライド移動範囲を規制する切欠き部を設けたことを特徴とする。
【０００８】
本発明の外枠によると、装飾プレートを腰板部の前面に取着する際に、下がり防止部材が装飾プレートのフランジ部の切欠き部と係合し、下がり防止部材のスライド移動が規制されて左右方向位置が固定されるようになるため、ビスなど取付用金具が不要でしかも簡単な作業によって下がり防止部材を腰板部に固定することができる。
【０００９】
ここで、前記装飾プレートの前記フランジ部に、切除可能で、切除後に前記切欠き部と同様な作用を発揮し得る切欠き予定部が形成されている。
【００１０】
設計上、上記下がり防止部材は、最大公約数的に下がり防止機能を十分に発揮し得るレール部の左右方向位置に固定される。しかし、経年変化などで外枠と遊技盤取付枠との相対的な位置関係が変化し、下がり防止部材がその機能を十分に発揮できなくなる場合が想定される。このような場合、切欠き予定部を切除し、この切除によって新たに形成された切欠き部の位置に下がり防止部材を移動させるようにすれば、再び下がり防止部材がその機能を十分に発揮できる場合が生じる。
【発明を実施するための最良の形態】
【００１１】
以下、本発明の実施形態を図面に基づいて説明する。
【００１２】
図１は、本発明の一実施形態に係る外枠に対して遊技盤取付枠などからなる遊技機本体部を開放した状態を示すパチンコ遊技機の斜視図、図２は、同外枠の本体部及び装飾プレートの斜視図、図３は、同装飾プレートの拡大斜視図、図４は、同外枠の腰板部と同装飾プレートとの位置関係を表した要部分解斜視図をそれぞれ示す。
【００１３】
図１〜図４において、パチンコ遊技機は、外枠１００と遊技機本体部２００とから構成され、遊技機本体部２００は、外枠１００の上下２つの金属製連結部材６，７に各々形成された軸受部６a，７aに開閉自在に保持されている。遊技機本体部２００は、遊技盤取付枠（内枠）２０１と前面枠（ガラス枠ユニット）２０２とからなり、前面枠２０２は、遊技盤取付枠２０１の前面に開閉自在に保持されている。
【００１４】
外枠１００は、金属製好ましくはアルミ製の矩形フレームからなる本体部１を備える。本体部１は、上枠２と左側枠３及び右側枠４とを連結固定するとともに、下枠５と左側枠３及び右側枠４とを連結固定することによって一体化されている。
【００１５】
下枠５は、図４に示すように、底板部５１と、底板部５１の前端から上方へ略直角に延びた腰板部５２とからなる。腰板部５２は、上端に左右方向のレール部５３を有し、遊技盤取付枠２０１が閉じた状態にあるとき、腰板部５２の上端面つまりレール部５３の上面と遊技盤取付枠２０１の下端面２０１aとが重合する。レール部５３は断面略T字状に形成されており、レール部５３の水平部５３aを跨ぐように断面略C字状の下がり防止部材８が装着されている。下がり防止部材８は、レール部５３の端部５３b側からレール部５３の水平部５３aに嵌められる。下がり防止部材８は、レール部５３の水平部５３aと係合しながら左右方向へスライド移動自在である。また、下がり防止部材８は、この下がり防止部材８と接触する遊技盤取付枠２０１の下端面２０１aに対して低摩擦係数をもつ硬質樹脂材料からなり、外枠１００に対して遊技盤取付枠２０１が円滑に開閉動作するよう構成されている。
【００１６】
腰板部５２の前面には、装飾パネル９が着脱自在に取着される。装飾パネル９は、レール部５３の水平部５３aの下面前部と腰板部５２の底面部５４の前部との間に嵌め込まれ、腰板部５２の前面を覆う。装飾パネル９は、前面部９１と、前面部９１の上端から後方へ略直角に延びたフランジ部９２とを有する。
【００１７】
フランジ部９２の適宜箇所には、レール部５３の水平部５３aの下面前部に形成された帯状係止部５３cに弾性的に係止される弾性爪部９２aが形成されている。また、前面部９１の裏面の適宜箇所には、腰板部５２の底面部５４の前部に形成された帯状係止部５４aに弾性的に係止される弾性爪部９１aが形成されている。装飾パネル９は、フランジ部９２の弾性爪部９２a及び前面部９１の弾性爪部９１aが各々腰板部５２のレール部５３の帯状係止部５３c及び底面部５４の帯状係止部５４aと係合することによって腰板部５２の前面に固定される。なお、装飾パネル９を腰板部５２から離脱できなくするためには、ビス１１を腰板部５２の貫通孔５５に裏面側から通し、装飾パネル９の裏面に突設したリブ９３の取付孔９３aにねじ込むようにする。
【００１８】
また、フランジ部９２の適宜箇所には、切欠き部９２bが形成されている。切欠き部９２bは、下がり防止部材８の所定部位つまり下がり防止部材８においてレール部５３の水平部５３aの下面前部に位置する部位を収容可能に形成されており、下がり防止部材８の左右方向へのスライド移動範囲を規制する。
【００１９】
また、フランジ部９２の適宜部位には、一方の切欠き部９２bから他方の切欠き部９２bに亘って切欠き予定部９２cが適宜数形成されている。切欠き予定部９２cは、ニッパーなどの工具を用いて容易に切除し得るよう左右両端にV溝９２dなどの切除補助手段が形成されており、切除後には、上述した切欠き部９２bと同様、下がり防止部材８を収容し、下がり防止部材８のスライド移動を規制する。
【００２０】
ここで、切欠き予定部９２cを設けた理由は、経年変化などで外枠１００と遊技盤取付枠２０１との相対的な位置関係が変化し、切欠き部９２bによって位置が固定された下がり防止部材８がその機能を十分に発揮できなくなる場合が想定されるが、このような場合、切欠き予定部９２cを切除し、この切除によって新たに形成された切欠き部９２bの位置に下がり防止部材８を移動させるようにすれば、再び下がり防止部材８がその機能を十分に発揮できる場合が生じるからである。なお、切欠き予定部９２cを切除したことによって切欠き幅が１つの切欠き部９２bの切欠き幅の２倍以上になった場合には、下がり防止部材８は新たな切欠き幅の区間において位置を移動することができ、例えば、図２及び図３に示した全ての切欠き予定部９２cを切除した場合、下がり防止部材８は、当初から存在する一方の切欠き部９２bから他方の切欠き部９２bに亘る全区間において移動可能となり、下がり防止部材８をその区間における任意の位置にセットできるようになる。
【００２１】
以上説明したように、本実施形態によるパチンコ遊技機の外枠１００は、上枠２、左右一対の側枠３，４、下枠５からなる矩形フレーム１と、一方の側枠３側の上部及び下部に突出して設けられ、遊技盤取付枠２０１を片持ち状態で開閉自在に保持する軸受部６a，７aと、を備え、遊技盤取付枠２０１が閉じた状態にあるとき下枠５の腰板部５２の上端面と遊技盤取付枠２０１の下端面とが重合する。そして、外枠１００は、腰板部５２の上端面を形成する左右方向のレール部５３と、レール部５３にスライド移動自在に装着される下がり防止部材８と、腰板部５２の前面に取着される装飾プレート９と、を備え、装飾プレート９の上端に、レール部５３の下面に係止されるフランジ部９２を形成するとともに、フランジ部９２に、下がり防止部材８と係合して下がり防止部材８のスライド移動範囲を規制する切欠き部９２bを設けている。
【００２２】
本実施形態の外枠１００によると、装飾プレート９を腰板部５２の前面に取着する際に、下がり防止部材８が装飾プレート９のフランジ部９２の切欠き部９２bと係合し、下がり防止部材８のスライド移動が規制されて左右方向位置が固定されるようになるため、ビスなど取付用金具が不要でしかも簡単な作業によって下がり防止部材８を腰板部５２に固定することができる。
【図面の簡単な説明】
【００２３】
【図１】本発明の一実施形態に係る外枠に対して遊技盤取付枠などからなる遊技機本体部を開放した状態を示すパチンコ遊技機の斜視図である。
【図２】同外枠の本体部及び装飾プレートの斜視図である。
【図３】同装飾プレートの拡大斜視図である。
【図４】同外枠の腰板部と同装飾プレートとの位置関係を表した要部分解斜視図である。
【符号の説明】
【００２４】
１００    外枠
１    矩形フレーム（本体部）
２    上枠
３，４    側枠
５    下枠
６a，７a    軸受部
８    下がり防止部材
９    装飾プレート
５２    腰板部
５３    レール部
９２    フランジ部
９２b    切欠き部
９２c    切欠き予定部
【図１】
2006158506.tif 000003
【図２】
2006158506.tif 000004
【図３】
2006158506.tif 000005
【図４】
2006158506.tif 000006